(57)【特許請求の範囲】
【請求項１】
光源から出射する可視光と赤外光とを写真フィルムに照射して、写真フィルムの画像を画像読み取り用の光路に配置された写真フィルムの画像を可視光用センサと赤外光用センサにて読み取る写真フィルム画像読取装置であって、
第１倍率状態と、前記第１倍率状態よりも低倍率の第２倍率状態との間で切換可能な倍率変更レンズユニットと、前記倍率変更レンズユニットからの光路を可視光用光路と赤外光用光路とに分岐する光路分岐手段とを備えており、
前記可視光センサの位置は、前記第１倍率と第２倍率の双方の倍率状態における前記可視画像のフォーカス位置が前記可視光センサ上に来るように設定されており、前記赤外光センサの位置は、前記第１倍率状態における前記赤外画像のフォーカス位置が前記赤外光センサ上に来るように設定されており、
前記倍率変更レンズユニットの第１倍率状態から第２倍率状態への切換操作に応じて、前記赤外光用光路内の前記光路分岐手段と前記赤外光センサの間に進入し、前記倍率変更レンズユニットの前記第２倍率状態から前記第１倍率状態への切換操作に応じて、前記赤外光用光路内の光路分岐手段と前記赤外光センサの間から退避するように構成されたフォーカス位置変更用透光体が設けられており、このフォーカス位置変更用透光体の前記進入によって、前記第２倍率状態の前記倍率変更レンズユニットに基づく前記赤外画像のフォーカス位置は、前記赤外光センサ上に来るように構成されている写真フィルム画像読取装置。
【請求項２】
前記フォーカス位置変更用透光体が、板ガラスにて構成されている請求項１記載の写真フィルム画像読取装置。
【請求項３】
前記倍率変更レンズユニットはズームレンズユニットである請求項１又は２記載の写真フィルム画像読取装置。
【請求項４】
前記光路分岐手段は、コールドミラーにて構成されている請求項１から３のいずれか一項に記載の写真フィルム画像読取装置。
【発明の詳細な説明】
【０００１】
【発明の属する技術分野】
本発明は、光源から出射する可視光と赤外光とを写真フィルムに照射して、写真フィルムの画像を可視光用センサと赤外光用センサにて読み取る写真フィルム画像読取装置に関する。
【０００２】
【従来の技術】
かかる写真フィルム画像読取装置は、光源から出射する光を写真フィルムに照射して、一般にはそれの透過光をＣＣＤセンサ等にて検出して写真フィルムに撮影されている画像を読みとる装置である。
このように、写真フィルム画像読取装置は、写真フィルムに撮影されている画像を読みとるのが本来の機能であるが、近年、写真フィルムに付いている傷や埃をも画像として検出して、傷や埃が付いている位置を特定することにより、その傷や埃の影響を受けた読取画像を補正して画質を改善することが考えられている。
【０００３】
上記の傷や埃の検出は、例えば、特開平６−２８４６８号公報や特開平９−１６３１３３号公報に記載のように、写真フィルムの赤外線画像を得ることにより行われている。これは、概略的には、可視光は写真フィルムに撮影された画像自体と写真フィルムに付いている傷や埃の何れによっても変調を受けるが、赤外光は写真フィルムに付いている傷や埃については散乱により変調を受けるものの写真フィルムに撮影された画像自体には影響を受けないという現象を利用したものである。
【０００４】
このような赤外線画像を得るための構成として、特開平６−２８４６８号公報では、写真フィルムに照射する光を回転形フィルタによって可視光と赤外光とを順次切り換えて、夫々別のタイミングで可視画像と赤外画像とを得る構成としており、又、特開平９−１６３１３３号公報では、上記可視画像と上記赤外画像とを別個に設けられた測光ステージにて検出する構成としている。
尚、上述の従来例では、写真フィルムの画像を測定する倍率を変更することについては記載されていない。
【０００５】
【発明が解決しようとする課題】
しかしながら、現実の写真フィルム画像読取装置では、その写真フィルム自体のサイズやプリントサイズが種々存在するのに対応して、可視光用センサが種々の倍率で写真フィルムの画像を読み取れるようにする要請が強く、可視光用センサの読取倍率を変更可能とした場合は、赤外光用センサもそれに連動させて写真フィルムの画像を赤外光用センサの受光面に結像するためのレンズの倍率を変更可能とすることになる。
このような倍率変更可能なレンズは、通常、その倍率にかかわらずフォーカス位置が一定となるように設計されるが、これは可視光に対して行われるものであり、本発明の発明者は、このように可視光に対して最適化されたレンズを用いて赤外画像を読みとった場合、屈折率の波長依存性に起因して、レンズの倍率の変更に伴うフォーカス位置の変動が無視できない程度に大きくなっていわゆるピンボケが生じてしまうことを見出した。
【０００６】
この場合、赤外光用センサを倍率の変更に伴って光軸方向に移動させてフォーカス位置の変動を吸収するような構成も考えられるが、赤外光用センサを光軸方向に精度良く移動駆動するには、構成の複雑化を招くことになる。
本発明は、上記実情に鑑みてなされたものであって、その目的は、レンズの倍率を変更可能として赤外画像を読みとる場合でも、簡素な構成で良好な赤外画像の読み取りを可能とする点にある。
【０００７】
【課題を解決するための手段】
上記の課題を解決するために、本発明の請求項１の特徴構成は、第１倍率状態と、前記第１倍率状態よりも低倍率の第２倍率状態との間で切換可能な倍率変更レンズユニットと、前記倍率変更レンズユニットからの光路を可視光用光路と赤外光用光路とに分岐する光路分岐手段とを備えており、前記可視光センサの位置は、前記第１倍率と第２倍率の双方の倍率状態における前記可視画像のフォーカス位置が前記可視光センサ上に来るように設定されており、前記赤外光センサの位置は、前記第１倍率状態における前記赤外画像のフォーカス位置が前記赤外光センサ上に来るように設定されており、前記倍率変更レンズユニットの第１倍率状態から第２倍率状態への切換操作に応じて、前記赤外光用光路内の前記光路分岐手段と前記赤外光センサの間に進入し、前記倍率変更レンズユニットの前記第２倍率状態から前記第１倍率状態への切換操作に応じて、前記赤外光用光路内の光路分岐手段と前記赤外光センサの間から退避するように構成されたフォーカス位置変更用透光体が設けられており、このフォーカス位置変更用透光体の前記進入によって、前記第２倍率状態の前記倍率変更レンズユニットに基づく前記赤外画像のフォーカス位置は、前記赤外光センサ上に来るように構成されている点にある。
このような特徴構成を備えるために、本発明による写真フィルム画像読取装置では、倍率変更レンズユニットの、より低倍率である第２倍率への切り換えに応じて、実質的な光路長を延長するフォーカス位置変更用透光体を赤外光用の光路内に進入させ、高倍率である第１倍率への切り換えに応じて、フォーカス位置変更用透光体を赤外光用の光路から退避させる構成とし、これによって、倍率変更レンズユニットの倍率の切り換えに関わらず赤外画像のフォーカス位置が赤外光センサ上に来る写真フィルム画像読取装置が実現された。
すなわち、写真フィルムの画像を赤外光用センサの受光面に結像するためのレンズの倍率が変更されると、その倍率の変更に伴って、レンズと赤外光用センサとの間で、フォーカス位置を光軸方向に位置ずれさせるフォーカス位置変更用透光体が出退操作される。フォーカス位置変更用透光体によるフォーカス位置の位置ずれ量を、レンズの倍率の変更によるフォーカス位置の変動と一致させることによって、このフォーカス位置変更用透光体の出退操作によって、レンズの倍率変更に伴うフォーカス位置の変動を補正するので、レンズの倍率が変化しても赤外光用センサの受光面上に安定的にフォーカス位置が存在するものとなる。もって、フォーカス位置変更用透光体を出退操作するだけの簡素な構成で、良好な赤外画像の読み取りを行えるに至った。
【０００８】
又、上記請求項２記載の構成を備えることにより、前記フォーカス位置変更用透光体が板ガラスにて構成され、レンズの倍率の変更に伴って板ガラスがレンズと赤外光用センサとの間に出退操作される。
板ガラスをレンズと赤外光用センサとの間に挿入すると、近似的にその板ガラスの屈折率と板厚とに依存して、フォーカス位置がレンズから遠ざかる方向に移動する。従って、板ガラスを、レンズの倍率の変更によるフォーカス位置の変化に相当する距離だけフォーカス位置をレンズから遠ざける屈折率と板厚とを有するように設定することで、レンズの倍率の変更によるフォーカス位置の変動を補正することができる。
【０００９】
尚、このように板ガラスをレンズと赤外光用センサとの間に配置すると収差を発生させる要因となり得るが、倍率の変更によるフォーカス位置の変動はその収差が問題となる程には大きくはないことに着目して、フォーカス位置変更用透光体を板ガラスという極めて簡素な部材にて構成しているのである。
【００１０】
又、上記請求項４記載の構成を備えることにより、可視光を可視光用センサに向けて照射すると共に、赤外光を赤外光用センサに向けて照射するための光路分岐手段が、コールドミラーにて構成される。
コールドミラーは、一般にランプの反射鏡として用いられる場合が多く、可視光を反射すると共に赤外光を透過して照明光路の過熱の防止等を図るものであるが、光路分岐手段としてこの既存のコールドミラーを利用することで、設計負担の軽減を図ることができる。
【００１１】
【発明の実施の形態】
以下、本発明の写真フィルム画像読取装置を画像プリント装置に備えた場合の実施の形態を図面に基づいて説明する。
本発明の実施の形態にかかる画像プリント装置ＩＰはデジタル露光式を採用しており、図１に示すように、図示されていないフィルム現像機によって現像処理された写真フィルム（以後単にフィルムと称す）１のコマ画像をデジタル画像データとして読み取る写真フィルム画像読取装置としてのフィルムスキャナ３と、取得されたデジタル画像データを処理してプリントデータを作成するコントローラ７と、このプリントデータに基づいて印画紙２にコマ画像に対応する画像を露光するデジタルプリント部５と、露光された印画紙２を現像処理する現像処理部６とを備えている。現像処理部６で現像された印画紙２は、乾燥工程を経て仕上がりプリントとして排出される。
【００１２】
フィルムスキャナ３は、主な構成要素として、照明光学系３１、撮像光学系３２、ＣＣＤセンサを用いた画像読取用センサＩＳを備えている。
照明光学系３１は、光源としてのハロゲンランプ３１ａと，そのハロゲンランプ３１ａの光を反射して略平行光にする反射鏡３１ｂと，赤外線カットフィルタ３１ｃと，ハロゲンランプ３１ａの出射光を所望の色バランスに調整するための調光フィルタ３１ｄと，光の色分布や強度分布を均一にするためのミラートンネル３１ｅとが備えられて構成されている。
【００１３】
本実施の形態のフィルムスキャナ３の画像読取用センサＩＳは、詳しくは後述するが、フィルム１の可視画像を検出する可視光用センサ３３ａとフィルム１の赤外画像を検出する赤外光用センサ３４ａとを備え、赤外光用センサ３４ａにてフィルム１に付いている傷や埃の状態を画像情報として得るように構成されている。従って、上記光学系も赤外光用センサ３４ａにより検出対象となる波長範囲の赤外光の通過を許容する必要がある。
このため、赤外線カットフィルタ３１ｃは、図３に示すように、原則として約７８０ｎｍ〜約１１００ｎｍの赤外線の波長範囲で透過率を低くしているのであるが、赤外光用センサ３４ａの検出対象となる約８２０ｎｍ〜約８９０ｎｍの波長範囲で透過率を若干高く設定している。
【００１４】
又、調光フィルタ３１ｄは、図４に示すように、約７８０ｎｍよりも短波長側の可視光領域で透過率に所定の波長依存性を持たせて色バランスを調整すると共に、約７９０ｎｍ〜約１０００ｎｍの赤外線の範囲では原則として透過率を低くしながらも、赤外光用センサ３４ａの検出対象となる約８２０ｎｍ〜約８９０ｎｍの波長範囲で透過率を若干高く設定している。
【００１５】
撮像光学系３２は、フィルム１の画像を赤外光用センサ３４ａの受光面に結像するためのレンズとして機能すると共にフィルム１の画像を可視光用センサ３３ａへも結像させるズームレンズユニット３２ａと、光線の進行方向を屈曲させる光路分岐手段としてのミラー３２ｂと、赤外線カットフィルタ３２ｃと、ズームレンズユニット３２ａと赤外光用センサ３４ａとの間に配置されて、フォーカス位置を光軸方向に位置ずれさせるフォーカス位置変更用透光体ＦＴとしての板ガラス４０とを備えて構成されている。
ズームレンズユニット３２ａは、フィルム１のサイズ及び作製するプリントサイズの応じて複数段階に倍率を変更するようにコントローラ７によって操作される。この倍率は、具体的には、１倍付近の複数段階で設定される低倍率のグループと２倍程度の高倍率のグループとに設定される。
ミラー３２ｂは、いわゆるコールドミラーにて構成され、可視光はミラー３２ｂの反射面で反射されて光線の進路が９０度屈曲され、可視光用センサ３３ａに向けて照射され、一方、赤外光は大部分がミラー３２ｂを通過してそのまま直進して、赤外光用センサ３４ｂに照射される。
【００１６】
赤外線カットフィルタ３２ｃは、ミラー３２ｂによって反射された若干の赤外光を確実に除去するためのもので、上述の照明光学系３１の赤外線カットフィルタ３１ｃとは異なり、図５に示すように、約８２０ｎｍ〜約８９０ｎｍの赤外線の波長範囲においても透過率を十分低くして、可視光用センサ３３ａに赤外光が入射するのを阻止している。
フォーカス位置変更用透光体ＦＴとしての板ガラス４０は、ズームレンズユニット３２ａの倍率の変更と連動してズームレンズユニット３２ａと赤外光用センサ３４ａとの間において図示を省略する駆動手段にて出退操作される。
この板ガラス４０を、ズームレンズユニット３２ａから赤外光用センサ３４ａに至るフィルム画像読み取り用の光路に位置させることによって、フィルム１の画像が結像されるフォーカス位置がズームレンズユニット３２ａから遠ざかる方向に移動する。
【００１７】
上述のようにズームレンズユニット３２ａは低倍率のグループと高倍率のグループとに設定されるが、このように倍率が変化すると、可視光に対してはフォーカス位置の変動が十分抑制されるように設計されているが、赤外光に対しては、フォーカス位置が若干変化する。
すなわち、図２（イ）に示すように、ズームレンズユニット３２ａの位置を  「Ａ」としたときに、可視光の領域でのフォーカス位置は「Ｂ」の位置に存在し、これはズームレンズユニット３２ａの倍率を上述の低倍率グループと高倍率グループとに変更した場合でも変化しない。一方、赤外光の領域では、ズームレンズユニット３２ａの倍率を低倍率グループに設定したときは「Ｃ」の位置がフォーカス位置となり、高倍率グループに設定したときは「Ｄ」の位置がフォーカス位置となる。
【００１８】
このような低倍率グループと高倍率グループとのフォーカス位置の変動を板ガラス４０をフィルム画像読み取り用の光路に出退操作することで吸収する。より具体的に説明すると、例えば、図２（イ）の低倍率グループと高倍率グループとのフォーカス位置の差（Δｆ）が「０．２ｍｍ」であったとすると、板ガラス４０をフィルム画像読み取り用の光路に挿入することでフォーカス位置が「０．２ｍｍ」ズームレンズユニット３２ａから遠ざかるように設定しておけば、図２  （ロ）に示すように、板ガラス４０をフィルム画像読み取り用の光路から引退させている状態で赤外光用センサ３４ａの受光面を高倍率グループのフォーカス位置である「Ｄ」の位置に位置させれば良い。
【００１９】
赤外光用センサ３２ａをこのように配置することで、ズームレンズユニット３２ａの倍率を高倍率グループに設定したときは、板ガラス４０をフィルム画像読み取り用の光路から引退させた状態で、赤外光用センサ３４ａの受光面がフォーカス位置となり、一方、ズームレンズユニット３２ａの倍率を低倍率グループに設定したときは、板ガラス４０をフィルム画像読み取り用の光路にそれと直交する姿勢で挿入することで、「Ｄ」の位置に位置する赤外光用センサ３４ａの受光面がフォーカス位置となる。尚、フォーカス位置を「０．２ｍｍ」だけズームレンズユニット３２ａから遠ざけるための板ガラス４０の具体的な数値例としては、例えば、屈折率ｎが「ｎ＝１．３３」の板ガラス４０を使用した場合、近軸領域の近似計算で板ガラス４０の厚さｔを約０．６ｍｍとすることにより実現される。
【００２０】
可視用光センサ３３ａは、撮像光学系３２によって導かれた光ビームのうち可視光を光電変換するもので、赤色（Ｒ），緑色（Ｇ），青色（Ｂ）の各色に対応して設けられたＣＣＤラインセンサを１チップに集積して構成しており、各ＣＣＤラインセンサは、主走査方向つまりフィルム１の幅方向に多数（例えば５０００個）配列された受光素子が備えられて、それらの受光素子の受光面には夫々Ｒ，Ｇ，Ｂのカラーフィルタが形成されている。
可視光用センサ３３ａの検出信号は、可視光用信号処理回路３３ｂによって増幅及びＡ／Ｄ変換等の処理を行ってコントローラ７に出力される。
【００２１】
赤外光用センサ３４ａは、可視光用センサ３３ａと同様の構成であるが、可視光用センサ３３ａがＲ，Ｇ，Ｂ夫々に対応して３つのＣＣＤラインセンサが備えられているのに対し、赤外光用のＣＣＤラインセンサのみが設けられている。
赤外光用センサ３４ａの検出信号は、赤外光用信号処理回路３４ｂにて増幅及びＡ／Ｄ変換等の処理を行ってコントローラ７に出力される。
【００２２】
フィルム１のコマ画像が所定のスキャン位置に位置決めされると、コマ画像の読取処理が開始される。コマ画像の投影光像は、フィルム搬送機構９によるフィルム１の副走査方向への送り操作により、複数のスリット画像に分割された形で順次可視光用センサ３３ａ及び赤外光用センサ３４ａによって読み取られ、Ｒ、Ｇ、Ｂの色成分の画像信号並びに赤外成分の画像信号に光電変換され、生のデジタル画像データとしてコントローラ７に送られる。このような、フィルムスキャナ３の照明光学系３１、撮像光学系３２、画像読取用センサＩＳの各制御はコントローラ７によって行われる。
フィルムスキャナ３には、上述のフィルムの画像データの読み取りの他に、図示を省略する磁気読取ヘッドにて、フィルムに磁気記録されているプリントサイズ情報等を読み取る機能をも備えている。
【００２３】
デジタルプリント部５には、この実施形態では、ＰＬＺＴシャッター方式が採用されている。つまり、露光ヘッド５ａとして、ＰＬＺＴ素子からなるシャッタアレイを採用したものである。各シャッターには光源ユニット５ｂから光ファイバ束５３を介してＲ、Ｇ、Ｂ各色の光が導入される。このシャッタアレイは印画紙２の幅方向、つまり搬送方向の横断方向に沿って２列に並んだ印画紙２にわたって延びており、各シャッターに所定レベルの電圧が印加されると、光透過状態（開き状態）になり、その電圧の印加が停止されると光遮断状態（閉じ状態）となる。各シャッターが露光する画像の画素に対応し、各シャッターの開閉により、一度に印画紙搬送方向で１画素分の幅で搬送横幅方向に延びる１ライン分の画像のデータが露光される。
【００２４】
光源ユニット５ｂには、図示を省略するが、光源ランプ，光源ランプの出射光を所望の色バランスに調整する調光フィルタ，及び，回転フィルタ等が備えられている。回転フィルタは，赤色（Ｒ），緑色（Ｇ），青色（Ｂ）の３色夫々の光学フィルタが周方向に並べて配置され、この回転フィルタを常時一定速度で高速回転させることにより、Ｒ、Ｇ、Ｂの内の１つが選択的に光源に対向し、その色のフィルタを介して選択色の光が光ファイバーを通じてシャッターに送られる。
【００２５】
コントローラ７は、フィルムスキャナ３から入力された画像の画像情報に基づいて、印画紙２にその画像が適正に再現されるように各画素毎つまりシャッター毎に、そして上述のＲ，Ｇ，Ｂの各露光色毎に、シャッターが開く時間の長さを露光量として設定する。
デジタルプリント部の方式としては、このＰＬＺＴシャッター方式以外に液晶シャッター方式、蛍光ビーム方式、ＦＯＣＲＴ方式などが知られており、露光仕様に応じて任意に選択することができる。
【００２６】
上記デジタルプリント部５まで印画紙２を搬送し、更にデジタルプリント部５にて露光処理された印画紙２を更に現像処理部６まで搬送するための印画紙２の搬送系は、図１に示すように、印画紙２を単列で搬送する印画紙供給ライン８Ａと、印画紙２を２列で搬送する露光搬送ライン８Ｂと現像搬送ライン８Ｃとに区分けされ、印画紙供給ライン８Ａと露光搬送ライン８Ｂとの間に、印画紙供給ライン８Ａから順次送られてくる印画紙２を露光搬送ライン８Ｂの各列に振り分ける振り分け装置４が設けられている。
【００２７】
図１から明らかなように、印画紙供給ライン８Ａは、感光面を外側にして長尺の印画紙２をロール状に収納している２つの印画紙マガジン１０のいずれか一方から選択的に印画紙２を引き出す引き出しローラ群８ａと、振り分け装置４に印画紙２を受け渡す振り分け前ローラ群８ｂとから構成されている。
引き出しローラ群８ａの搬送下流側には、印画紙マガジン１０から引き出された印画紙２を各画像を露光するための領域に相当するプリントサイズに合わせて切断するペーパーカッター１１が設けられており、このペーパーカッター１１の下流側にバックプリント部１２が設けられている。バックプリント部１２は、印画紙２の裏面（感光面と反対側の面）に、フィルムＩＤやコマ番号、さらにプリントデータ作成時に行われた画像処理を示す補正情報などを印字するものであり、通常ドットインパックトプリンタが用いられている。
【００２８】
振り分け前ローラ群８ｂは、バックプリント部１２を挟むように配置され、夫々印画紙２の非感光面側に接当する駆動ローラ８１と感光面側に接当する圧着ローラ８２から成り、圧着ローラ８２は駆動ローラ８１に対して遠近変位可能で、駆動ローラ８１と圧着ローラ８２との間で印画紙２を圧着したり、解放したりすることができる。
【００２９】
露光搬送ライン８Ｂは、各駒に対応して切断された印画紙２を２列の横並びで同時搬送することが可能なように幅広の搬送ローラユニットと、それぞれの列に対応させたガイド部材を備えている。ただし、最も搬送上流側の搬送ローラユニットは、駆動ローラ８３は２列をカバーする幅広ローラであるが、駆動ローラ８３に対応する圧着ローラは、右列用の圧着ローラ８４ａと左列用の圧着ローラ８４ｂとに分けられている。つまり、右列用の圧着ローラ８４ａと左列用の圧着ローラ８４ｂとの圧着・圧着解除操作は互いに独立的に行うことができ、２枚のカット印画紙２を順番にローラ８４ａと圧着ローラ８４ｂで受け取り保持し、同時に２枚の印画紙２を露光ヘッド５ａによる露光位置ＥＰへ送り出すことができる。
【００３０】
露光ヘッド５ａの露光位置ＥＰの搬送方向両側には、第１搬送ローラＲ１と出口側の第２搬送ローラＲ２とこれらを駆動する電動モータとが備えられている。第１搬送ローラＲ１は印画紙２の非感光面側に接当する第１駆動側ローラ８５とこの第１駆動側ローラ８５に対して接近離間方向に移動駆動される第１圧着ローラ８６とを備えて構成され、そして第２搬送ローラＲ２は印画紙２の非感光面側に接当する第２駆動側ローラ８７とこの第２駆動側ローラ８７に対して接近離間方向に移動駆動される第２圧着ローラ８８とを備えて構成されている。
第１，第２搬送ローラＲ１，Ｒ２の圧着状態と解除状態との切り換えはコントローラ７により制御され、印画紙２が露光位置ＥＰを経由して搬送される途中で、印画紙２の搬送状態が、第１搬送ローラＲ１のみで搬送駆動される状態、第１搬送ローラＲ１及び第２搬送ローラＲ２の両方に搬送駆動される状態、第２搬送ローラＲ２のみによって搬送駆動される状態の３つの搬送状態に順次切り換えられる。
【００３１】
第２搬送ローラＲ２の搬送下流側では、図示を省略する湾曲ガイドを備えて搬送経路が湾曲しており、その経路に沿って、第１ターン駆動ローラ９１とこの第１ターン駆動ローラ９１に対して遠近変位可能な第１ターン圧着ローラ９２、及び、第２ターン駆動ローラ９３とこの第２ターン駆動ローラ９３に対向して取り付けられている第２ターン圧着ローラ９４が配置されている。第１・第２ターン搬送圧着ローラ９１，９３の間に配置されている図示しない湾曲ガイドは、非感光面側のガイド部分は、搬送下流側に設けられた揺動支点周りで外方に揺動可能であり、必要に応じて湾曲ガイドを通過する印画紙２を外側にふくらませることができる。尚、第１ターン駆動ローラ９１と第１ターン圧着ローラ９２とによる印画紙２の圧着保持は、２列で搬送される圧着対象の印画紙２の両方が露光位置ＥＰの通過を完了して、露光動作が終了した後に行われる。
【００３２】
印画紙供給ライン８Ａの搬出エリアから順次送られてくる印画紙２を露光搬送ライン８Ｂの各列の搬入エリアに振り分ける振り分け装置４は、図１に概略的に示すように、各独立に縦方向及び横方向に移動駆動される第１チャッカー部６０Ａと第２チャッカー部６０Ｂとが備えられて構成されている。
これら第１チャッカー部６０Ａ及び第２チャッカー部６０Ｂは、図示を省略するが、何れも印画紙２を挟持搬送可能であり、第１チャッカー部６０Ａは印画紙供給ライン８Ａの搬送下流端から受け取った印画紙２を中間駆動ローラ８３と第１中間圧着ローラ８４ａとの対に引き渡し、又、第２チャッカー部６０Ｂは印画紙供給ライン８Ａの搬送下流端から受け取った印画紙２を中間駆動ローラ８３と第２中間圧着ローラ８４ｂとの対に引き渡し、第１チャッカー部６０Ａと第２チャッカー部６０Ｂとが交互に昇降搬送して、露光搬送ライン８Ｂにおける２列の搬送経路の夫々に印画紙２を振り分ける。
【００３３】
次に、上記構成の画像プリント装置ＩＰにおけるプリント作製動作を概略的に説明する。
先ず、プリントを作製するためのフィルム１を、フィルムスキャナ３に装填すると、フィルム搬送機構９にて搬送されながらフィルム１の各駒の画像の読み取りが行われる。
このフィルム１の画像の読み取りは、可視光用センサ３３ａにてフィルム１に撮影されている本来の画像情報を読み取ると共に、赤外光用センサ３４ａにてフィルム１に撮影されている本来の画像情報ではなくフィルム１に付いている傷や埃の画像情報を読み取る。赤外光用センサ３４ａにてこのような画像情報を読みとれるのは、フィルム１に入射した赤外光はフィルム１に記録されている撮影画像自体には影響を受けないが、フィルム１に上記傷や埃が存在するとそれらに散乱されて透過光量が低下し、傷や埃の存在を画像情報として得ることができることによる。
このようにフィルム１の画像を読み取る際には、上述のように、フィルム１のサイズやプリントサイズに応じてズームレンズユニット３２ａの倍率を適宜設定変更し、低倍率のグループに設定したときは、板ガラス４０をフィルム画像読み取り用の光路に挿入する。
【００３４】
可視光用センサ３３ａにて検出された可視画像及び赤外光用センサ３４ａにて検出された赤外画像は夫々可視光用信号処理３３ｂ，赤外光用信号処理回路３４ｂを経てコントローラ７に入力される。
コントローラ７では、可視光用センサ３３ａから入力された可視画像の各色毎に濃度情報に基づいて、露光ヘッド５ａにて露光する画像の各色について各画素毎に露光量を設定する。
このとき、フィルム１上に傷や埃が存在すると、可視光用センサ３３ａにて検出した画像における傷や埃の存在部分の検出濃度が本来の画像の濃度情報から変化しており、そのまま露光量を設定すると、得られたプリントは、傷や埃の存在部分で画質が劣化してしまう。
このためコントローラ７では、赤外光用センサ３４ａの検出情報に基づいてフィルム１の傷や埃の存在位置を特定し、可視光用センサ３３ａの検出画像情報のうちの傷や埃の存在部分の検出濃度情報をそれらの周囲の画像の濃度情報から補完処理等にて補正し、補正後の濃度情報に基づいて露光量を設定する。
【００３５】
このようにして各画素毎に露光量を設定すると、露光搬送ライン８Ｂを搬送されて露光位置ＥＰを通過する印画紙２に対して、設定した露光量で露光ヘッド５ａに露光作動させて画像を露光する。
露光処理が完了した印画紙２は、現像処理部６に搬送されて現像処理され、乾燥後に完成プリントとして排出される。
【００３６】
〔別実施形態〕
以下、別実施形態を列記する。
▲１▼  上記実施の形態では、フォーカス位置を光軸方向に位置ずれさせるフォーカス位置変更用透光体ＦＴとして板ガラス４０を例示しているが、フォーカス位置変更用透光体ＦＴをレンズによって構成しても良い。
▲２▼  上記実施の形態では、ハロゲンランプ３１ａから出射した可視光と赤外光とをフィルム画像読み取り用の光路に併存させる場合を例示しているが、フィルム１の画像を可視画像と赤外画像とを別個の測光ステージで検出するようにしても良い。この場合でも、赤外画像読み取り用のステージで可視光用にセッティングされた倍率可変のレンズを使用することができる。
▲３▼  上記実施の形態では、倍率を変更可能なレンズとしてズームレンズユニット３２ａを例示しているが、複数の単焦点のレンズを回転ステージに並べて配置したいわゆるターレット式の倍率可変のレンズを用いても良い。
▲４▼  赤外光用センサ３４ａによる検出対象波長範囲として、約８２０ｎｍ〜約８９０ｎｍの波長範囲を例示しているが、これは、赤外線画像検出手段において用いる赤外線センサの検出特性に応じて種々に変更されるものである。
▲５▼  上記実施の形態では、光源をハロゲンランプ３１ａにて構成して可視光及び赤外光の両方を出射する構成としているが、光源を可視光用の光源と赤外光の光源とを有する複合的な光源として構成し、それらの光源の何れの出射光をもフィルム画像読み取り用の光路に入射するように光学系を構成しても良い。
【図面の簡単な説明】
【図１】本発明を適用した画像プリント装置の概略ブロック構成図
【図２】本発明の赤外光用センサの配置を説明する図
【図３】本発明の実施の形態にかかる赤外線カットフィルタの波長特性を示す図
【図４】本発明の実施の形態にかかる調光フィルタの波長特性を示す図
【図５】本発明の実施の形態にかかる赤外線カットフィルタの波長特性を示す図
【符号の説明】
１      写真フィルム
３１ａ  光源
３２ａ  レンズ
３２ｂ  光路分岐手段
３３ａ  可視光用センサ
３４ａ  赤外光用センサ
４０    板ガラス
ＦＴ    フォーカス位置変更用透光体
【図１】
0003664005.tif 000002
【図２】
0003664005.tif 000003
【図３】
0003664005.tif 000004
【図４】
0003664005.tif 000005
【図５】
0003664005.tif 000006